(57)【要約】      （修正有）【課題】冬夏両用交換式寝具の提供。【解決手段】下カバー３３に開口３３１が開設され、該開口周囲に結合部３３２が設けられ、上カバー３４の該結合部に対応する位置に該結合部と相互に接合可能な連接部３４４が設けられ、更に上カバーに離間配列された複数のブロック体３４２が設けられ、使用時に、季節の状況により、必要な上カバーに交換することができ、寝具の実用性と変化性を増すと共に、各ブロック体間に保留されるチャネルにより空気の流通を達成して寝具の使用の通気性と快適性を増した。【選択図】図３
0003102115.tif 000002
【実用新案登録請求の範囲】
【請求項１】
本体と該本体を被覆するカバーを具え、該カバーは下カバーと該下カバーに分離可能に接合可能な上カバーを具え、該下カバーに開口が開設され、且つ該開口の周囲に結合部が設けられ、該上カバーはベースと、該ベースの上に離間配置された複数のブロック体と、各ブロック体を直列に連結する連結線、及びベースの外周に設けられて該結合部と相互に結合可能な連接部を具え、該結合部と該連接部の結合により上カバーと下カバーが結合されて本体を被覆することを特徴とする、冬夏両用交換式寝具。
【請求項２】
請求項１記載の冬夏両用交換式寝具において、ブロック体が扁平状の竹片とされたことを特徴とする、冬夏両用交換式寝具。
【請求項３】
請求項１記載の冬夏両用交換式寝具において、結合部と連接部がスライドファスナーとされたことを特徴とする、冬夏両用交換式寝具。
【請求項４】
請求項１記載の冬夏両用交換式寝具において、ブロック体が球状のビーズとされたことを特徴とする、冬夏両用交換式寝具。
【考案の詳細な説明】
【技術分野】
【０００１】
本考案は一種の寝具に係り、特に、冬夏両用交換式寝具の構造に関する。
【背景技術】
【０００２】
寝具の種類は多く、例えば、枕、マットレス等があり、使用上の美観性のために、いずれもカバーで被覆される。人々が常に使用する枕に関しては、ハードタイプ及びソフトタイプの枕の二種類があり、ハードタイプの枕１は、図１に示されるように、本体１１及び本体１１を被覆するカバー１２を具えている。そのうち、カバー１２は藤條、竹片等の木材を編成してなり、本体１１を被覆し、ゆえに通気性が良好で、夏の暑い日も頭部１０の熱を発散させることができ、使用者に蒸し暑さを感じさせず、このため夏期の使用に適している。しかし冬には寒いため使用に適さない。ゆえに使用上の制限があり、天気に応じて改変できないほか、ハードタイプの枕の硬い材質は誰もが快適と感じるわけではない。
【０００３】
ソフトタイプの枕２は、図２に示されるように、柔軟な物質（例えば綿）を充填した本体２１と該本体２１を被覆するカバー２２からなり、該カバー２２は主に布で製造され、ゆえに枕２は冬の使用に適合し、保温効果を有するが、夏に使用すると、頭部２０の汗がカバー２２、本体２１にしみ込み、カバー２２が汚れたり、汗くさくなる。
【０００４】
ハードタイプ或いはソフトタイプの枕１、２は、季節により使い分けられ、ゆえに、使用者は二種類の枕を持たねばならず、不便である。さらに、模様の変化は、ソフトタイプの枕２のカバーを交換した場合のみ達成され、このため使用上の変化性が低く、改善が求められている。
【考案の開示】
【考案が解決しようとする課題】
【０００５】
本考案は、実用性、変化性及び使用に便利な機能を具えた冬夏両用交換式寝具を提供することを目的とする。
【課題を解決するための手段】
【０００６】
請求項１の考案は、本体と該本体を被覆するカバーを具え、該カバーは下カバーと該下カバーに分離可能に接合可能な上カバーを具え、該下カバーに開口が開設され、且つ該開口の周囲に結合部が設けられ、該上カバーはベースと、該ベースの上に離間配置された複数のブロック体と、各ブロック体を直列に連結する連結線、及びベースの外周に設けられて該結合部と相互に結合可能な連接部を具え、該結合部と該連接部の結合により上カバーと下カバーが結合されて本体を被覆することを特徴とする、冬夏両用交換式寝具としている。
請求項２の考案は、請求項１記載の冬夏両用交換式寝具において、ブロック体が扁平状の竹片とされたことを特徴とする、冬夏両用交換式寝具としている。
請求項３の考案は、請求項１記載の冬夏両用交換式寝具において、結合部と連接部がスライドファスナーとされたことを特徴とする、冬夏両用交換式寝具としている。
請求項４の考案は、請求項１記載の冬夏両用交換式寝具において、ブロック体が球状のビーズとされたことを特徴とする、冬夏両用交換式寝具としている。
【考案の効果】
【０００７】
本考案の冬夏両用交換式寝具は、下カバーと上カバーの接合を利用して本体を被覆し、並びに該下カバーの結合部と上カバーの連接部を相互に接合することで、確実に枕、マットレス或いはクッション等の多種類の寝具構造に変化性、良好な実用性及び使用上の便利性を賦与することができる。
【考案を実施するための最良の形態】
【０００８】
本考案の冬夏両用交換式寝具は、本体、及び該本体を被覆するカバーを具え、該カバーは下カバーと該下カバーと接合可能な上カバーを具えている。該下カバーには開口が開設され、該開口周囲に結合部が設けられている。該上カバーには離間配列された複数のブロック体と、下カバーの結合部に対応する位置に設けられた連接部があり、ゆえに該上カバーが該下カバーと、該結合部、該連接部を利用して相互に接合可能とされ、該上カバーの交換に便利とされ、季節の状況、使用者の好みにより上カバーを交換でき、これにより寝具の実用性と変化性が増され、並びに上カバーのブロック体が離間配列されてなり、各二つのブロック体間にチャネルが保留されて、使用上の空気流通の効果が達成され、寝具の通気性と仰臥時の快適性が増されている。
【実施例１】
【０００９】
図３は本考案の冬夏両用交換式寝具３の好ましい実施例を示す。その構造は、本体３１と該本体３１を被覆するカバー３２を具えている。そのうち、該本体３１は本実施例では枕とされ、該枕はスポンジ材料を充填してなる実体とされる。
【００１０】
さらに図４に示されるように、カバー３２は、下カバー３３と該下カバー３３と着脱可能に接合される上カバー３４を具え、該下カバー３３には開口３３１が開設され、且つ該開口３３１の周囲に結合部３３２が設けられ、本実施例では該結合部３３２はスライドファスナーとされている。また、上カバー３４はベース３４１と、該ベース３４１の上に離間配置された複数のブロック体３４２、各ブロック体３４２を直列に連結する連結線３４３、及びベース３４１の外周に設けられた連接部３４４を具えている。該ブロック体３４２は扁平状の竹片、或いは球状のビーズとされうる。図中には扁平な竹片が示され、別に該連接部３４４（本実施例ではスライドファスナーとされている）の設置位置は結合部３３２に対応し、且つ該上カバー３４の連接部３４４は下カバー３３の結合部３３２と相互に接合可能で、これにより上カバー３４が下カバー３３と接続されて、本体３１が内部に被覆される。
【００１１】
図４、５に示されるように、使用上、枕はスポンジ材料が充填されているため、枕の柔軟度は一般の使用者に受け入れられやすいものとされ、さらに上カバー３４はスライドファスナーで結合されているため、簡単、迅速に取り外し、交換が行なえ、これにより寝具の実用性及び変化性が高められ、周知の枕１（或いは２）の変化性不足の問題を解決する。また、使用者は季節或いは個人の好みにより上カバー３４の様式を変換することができ、単純な布材質のもの（図示せず）にすることもでき、冬に使用する時の保温作用を具備させたり、或いは図示されるような複数のブロック体３４２を具えた上カバー３４に交換して夏に使用する時の涼しさを具備させることができ、この時、上カバー３４の離間配列されたブロック体３４２の間に形成されるチャネル３４５により、仰臥時に枕が凹んでも、チャネル３４５により気流を順調に流通させられるため、使用者は通気性と快適性を感じることができる。
【実施例２】
【００１２】
図６を参照されたい。図６は本考案の寝具の別の実施例を示す。その構造は、本体４と、本体４を被覆するカバー３２を具え、該カバー３２は嵌合される寸法と外観が改変されているが、そのベース３４１に理香設置されたブロック体３４２の構造は先の実施例と同じであるため説明を省略する。特に、本実施例の本体４はマットレスとされ、このマットレスはスプリング（図示せず）で組成された実体とされる。
【００１３】
図７に示されるように、使用時には、上カバー３４の連接部３４４が下カバー３３の結合部３３２と相互に接合され、使用上の便利性を具備し、且つ個人の好みにより上カバー３４を様式の異なるものに交換でき、多変化性を具備し、周知のマットレスカバーの変化性の欠如の欠点を改善し、季節に応じて適合する上カバー３４に交換でき、夏には竹片の上カバー３４に交換して通気性と快適性を増すことができ、冬には布の上カバー３４に交換して保温性を増すことができる。ゆえにその実用性は良好で、冬用と夏用にそれぞれ別のマットレスカバーを用意する必要がない。
【図面の簡単な説明】
【００１４】
【図１】周知のハードタイプの枕の使用表示図である。
【図２】周知のソフトタイプの枕の使用表示図である。
【図３】本考案の冬夏両用交換式寝具の好ましい実施例の斜視図であり、枕に応用された状態を示す。
【図４】本考案の冬夏両用交換式寝具の好ましい実施例の斜視図である。
【図５】本考案の冬夏両用交換式寝具の好ましい実施例の使用表示図である。
【図６】本考案の冬夏両用交換式寝具の別の実施例の斜視図であり、マットレスに応用された状態を示す。
【図７】本考案の冬夏両用交換式寝具の別の実施例の斜視図である。
【符号の説明】
【００１５】
３  冬夏両用交換式寝具                  ３３２  結合部
３１、４  本体                          ３４４  連接部
３２  カバー                            ３３  下カバー
３４  上カバー                          ３３１  開口
【図１】
0003102115.tif 000003
【図２】
0003102115.tif 000004
【図３】
0003102115.tif 000005
【図４】
0003102115.tif 000006
【図５】
0003102115.tif 000007
【図６】
0003102115.tif 000008
【図７】
0003102115.tif 000009